【手続補正書】
【提出日】平成18年9月26日(2006.9.26)
【手続補正１】
【補正対象書類名】明細書
【補正対象項目名】特許請求の範囲
【補正方法】変更
【補正の内容】
【特許請求の範囲】
【請求項１】  移動電話機取付用のカバーであって、
前記電話機に取り付けると露出する外部面と案内面を有する内部面とからなる細長い本体と、
前記案内面に沿って、前記カバーが前記電話機に対して動く時に、前記電話機の対応規制手段と協働するように配置され、前記協働の間中、長手方向への前記電話機に対する前記本体の実質的な動きを規制する、ロック可能な規制手段とからなり、
前記ロック可能な規制手段は、前記本体の外部面の一部を形成する、弾性的で外方向に可撓な部材からなり、前記部材は弾性的に撓み、前記案内面に沿って前記カバーが前記電話機に対して動く時に、前記電話機の前記対応規制手段と、使用者が解除可能なロック係合ができるように、また前記使用者が前記ロック係合を解除するのに外方向に引っぱれるように配置され、前記部材の弾性的可撓性の少なくとも一部は、前記部材が取付けられる前記カバーの可撓性から生じ、前記カバーは解除可能なロック係合をなすために変形することを特徴とするカバー。
【請求項２】  請求項１に記載のカバーにおいて、
前記カバーには穴、カットアウト又は他の開口がなく、ワンピースであることを特徴とするカバー。
【請求項３】  請求項１または２に記載のカバーにおいて、
前記可撓部材は、前記長手方向に対してほぼ垂直で、前記内部面の一部を形成する接合面を有することを特徴とするカバー。
【請求項４】  請求項１乃至３のいずれかに記載のカバーにおいて、
前記部材が前記本体の１つの縁から延びていることを特徴とするカバー。
【請求項５】  請求項１乃至４のいずれかに記載のカバーにおいて、
前記ロック可能な規制手段は、長手方向に分離して位置する第３および第４規制手段からなり、前記第４規制手段は前記可撓部材からなることを特徴とするカバー。
【請求項６】  請求項５に記載のカバーにおいて、
前記第３および第４規制手段は、前記本体の長手方向反対の端に位置することを特徴とするカバー。
【請求項７】  請求項５又は６に記載のカバーにおいて、
前記第３規制手段は、外方向に対してほぼ垂直で、前記内部面の一部を形成する接合面を有することを特徴とするカバー。
【請求項８】  請求項７に記載のカバーにおいて、
前記面は長手方向に対して鋭角に傾斜していることを特徴とするカバー。
【請求項９】  請求項５乃至８のいずれかに記載のカバーにおいて、
前記第３規制手段は、前記本体の内部面からほぼ長手方向に延びる舌状の物であることを特徴とするカバー。
【請求項１０】  請求項１乃至９のいずれかに記載のカバーにおいて、
前記カバーはさらに、カバーが前記案内面に沿って電話機に対して動く時に、電話機の対応する所に位置する留め具と解除可能に協働するように配置された留め具からなり、前記留め具は、前記協働の間、前記本体が前記電話機に対して前記長手方向のみへの実質的移動を許容することを特徴とするカバー。
【請求項１１】  請求項１０に記載のカバーにおいて、
前記留め具は、前記外方向に対してほぼ垂直で、長手方向に対して鋭角をなす接合面を画成することを特徴とするカバー。
【請求項１２】  請求項１乃至１１のいずれかに記載のカバーにおいて、
前記カバーはさらに、カバーが前記案内面に沿って電話機に対して動く時に、電話機の対応する所に位置する面と解除可能に協働するように配置された面からなり、これによって前記電話機と前記カバーとをより密着させることを特徴とするカバー。
【請求項１３】  請求項１乃至１２のいずれかに記載のカバーにおいて、
前記案内面はほぼ平面で、それぞれの面上には１つかあるいはそれ以上の浅浮彫のこぶがあることを特徴とするカバー。
【請求項１４】  請求項１乃至１３のいずれかに記載のカバーにおいて、
前記弾性的で外方向に可撓な部材が使用者により外方向に引っぱられる時、前記カバーは縦軸を取り巻くように弓状に曲がることを特徴とするカバー。
【請求項１５】  取付用カバーを有する移動電話機であって、
前記カバーは前記電話機に取り付けると露出する外部面と第１および第２案内面を有する内部面とからなる細長い本体と、
前記案内面に沿って、前記カバーが前記電話機に対して動く時に、前記電話機の対応規制手段と協働するように配置され、長手方向への前記電話機に対する前記本体の実質的な動きを規制する、ロック可能な規制手段とからなり、前記カバーの前記ロック可能な規制手段または前記電話機の前記対応規制手段が、弾性的に撓み、前記案内面に沿って前記カバーが前記電話機に対して動く時に、使用者が前記ロック可能な規制手段と前記電話機の前記対応規制手段とを解除可能なロック係合ができるように、また前記使用者が外方向に引っぱれるように配置されている、弾性的で外方向に可撓な部材からなり、前記部材の弾性的可撓性の少なくとも一部は、前記部材が取付けられる前記カバーの可撓性から生じ、前記カバーは解除可能なロック係合をなすために変形することを特徴とする移動電話機。
【請求項１６】  使用者が移動電話機に着脱可能なカバーであって、
前記電話機に取り付けると露出する外部面と、本体の長さにほぼ平行に延びる第１および第２案内面を有する内部面とからなる細長い本体と、
前記本体の外部面の一部を形成する上面と、リセスあるいは突出部を有する下面とからなる弾性的で外方向に可撓な部材とからなり、前記部材は前記本体の縁に位置し、使用者が外方向に引っぱるとカバーを取り外すために可撓するように配置され、前記部材の弾性的可撓性の少なくとも一部は、前記部材が取付けられる前記カバーの可撓性から生じ、前記カバーは解除可能なロック係合をなすために変形することを特徴とするカバー。
【請求項１７】  請求項１６に記載のカバーにおいて、
さらに、前記案内面に対してほぼ平行に延びる１対のリセスあるいは突出部を有し、前記本体の対向する側端に位置する解除可能な規制手段を具備することを特徴とするカバー。
【請求項１８】  請求項１６又は１７に記載のカバーにおいて、
前記カバーには穴、カットアウトあるいは他の開口がなく、ワンピースであることを特徴とするカバー。
【請求項１９】  請求項１６乃至１８のいずれかに記載のカバーにおいて、
前記カバーはさらに、カバーが前記案内面に沿って電話機に対して動く時に、電話機の対応する所に位置する規制手段と解除可能に協働するように配置された解除可能な規制手段を含み、電話機とカバーとをより密着させることを特徴とするカバー。
【請求項２０】  請求項１６乃至１９のいずれかに記載のカバーにおいて、
前記弾性的で外方向に可撓な部材が使用者により外方向に引っぱられる時、前記カバーは縦軸を取り巻くように弓状に曲がることを特徴とするカバー。
【請求項２１】  使用者が着脱できるカバーを有する移動電話機であって、
前記カバーは前記電話機に取り付けると露出する外部面と、本体の長さにほぼ平行に延びる第１および第２案内面を有する内部面とからなる細長い本体と、
前記本体の外部面の一部を形成する上面と、リセスあるいは突出部を有する下面とからなる弾性的で外方向に可撓な部材とからなり、前記部材は前記本体の縁に位置し、使用者が外方向に引っぱるとカバーを取り外すために可撓するように配置され、前記部材の弾性的可撓性の少なくとも一部は、前記部材が取付けられる前記カバーの可撓性から生じ、前記カバーは解除可能なロック係合をなすために変形することを特徴とする移動電話機。